(57)【要約】【課題】流体による反力を利用したカツオ、マグロ等の一本釣り漁法に使用する擬餌針及び擬餌針を使用した釣具並びに擬餌針からの魚体の取外し方法を提供する。【解決手段】基端部側に形成された鉤元７と、鉤元７に連接された胴部９ａと、胴部９ａに連接されてカエシを形成することなく湾曲形成された湾曲部９ｂと、湾曲部９ｂの先端に形成された針先部１０を有し、全体として「し」字状に形成されるとともに擬餌１３を装備した擬餌針６において、胴部９ａと湾曲部９ｂの連接部近傍に針先部１０側に向けて流体を噴射する噴射口１２を付設した擬餌針６とし、該擬餌針６を道糸５に結束するとともに、一端が所定の流体の供給源１８に接続されたチューブ１５を噴射口１２と連通可能に擬餌針６に接続してなる釣具とし、針先部１０に掛かった魚体に噴射口１２から流体を噴射することにより、魚体を取り外す。【選択図】図１
2010035421.tif 000002
【特許請求の範囲】
【請求項１】
基端部側に形成された鉤元と、鉤元に連接された胴部と、胴部に連接されてカエシを形成することなく湾曲形成された湾曲部と、湾曲部の先端に形成された針先部を有し、全体として「し」字状に形成されるとともに擬餌を装備した擬餌針において、
胴部と湾曲部の連接部近傍に針先部側に向けて流体を噴射する噴射口を付設したことを特徴とする擬餌針。
【請求項２】
基端部側に形成された鉤元と、鉤元に連接された胴部と、胴部に連接されてカエシを形成することなく湾曲形成された湾曲部と、湾曲部の先端に形成された針先部を有し、全体として「し」字状に形成されるとともに擬餌を装備した擬餌針において、
鉤元と胴部内に連通する中空部を形成するとともに、胴部と湾曲部の連接部近傍に前記中空部に連通し、針先部側に向けて流体を噴射する噴射口を付設したことを特徴とする擬餌針。
【請求項３】
基端部側に形成された鉤元と、鉤元に連接された胴部と、胴部に連接されてカエシを形成することなく湾曲形成された湾曲部と、湾曲部の先端に形成された針先部を有し、全体として「し」字状に形成されるとともに擬餌を装備した擬餌針において、
鉤元を貫通する中空部を形成するとともに、先端部に噴射口が開口された筒状体を基端部が中空部から突出するように中空部に挿通し、噴射口から針先部側に向けて流体を噴射可能としたことを特徴とする擬餌針。
【請求項４】
噴射口が胴部と湾曲部の連接部近傍に位置する請求項３記載の擬餌針。
【請求項５】
筒状体を胴部に沿って配置し、噴射口を胴部と湾曲部の連接部近傍に位置させた請求項３又は４記載の擬餌針。
【請求項６】
請求項１記載の擬餌針を道糸に結束するとともに、一端が所定の流体の供給源に接続されたチューブを噴射口と連通可能に擬餌針に接続してなることを特徴とする擬餌針を使用した釣具。
【請求項７】
請求項２記載の擬餌針を道糸に結束するとともに、一端が所定の流体の供給源に接続されたチューブを鉤元と胴部内に連通する中空部に接続してなることを特徴とする擬餌針を使用した釣具。
【請求項８】
請求項３〜５のいずれかに記載の擬餌針を道糸に結束するとともに、一端が所定の流体の供給源に接続されたチューブを鉤元から突出した筒状体に接続してなることを特徴とする擬餌針を使用した釣具。
【請求項９】
針先部に魚体が掛かった場合に、噴射口から流体を針先部側に向けて噴射することにより、擬餌針に反力を作用させる請求項６，７又は８記載の擬餌針を使用した釣具。
【請求項１０】
請求項６〜９のいずれかに記載の釣具を使用した魚釣りにおいて、
擬餌針に掛かった魚を外す際に、擬餌針に接続している道糸及びチューブの張りを緩めるとともに噴射口から流体として海水，水又は空気を噴射することにより、擬餌針に反力を作用させて魚体を取り外すことを特徴とする擬餌針からの魚体の取外し方法。
【発明の詳細な説明】
【技術分野】
【０００１】
本発明はカツオ、マグロ等の一本釣り漁法に使用する擬餌針及び擬餌針を使用した釣具並びに擬餌針からの魚体の取外し方法に関し、特には流体による反力を利用して擬餌針に掛かった魚体を人手によることなく迅速、かつ、確実に取り外すことができるものである。
【背景技術】
【０００２】
カツオの一本釣り漁に代表されるように、漁法の一つとして竿を使用した一本釣り漁が知られている。カツオの一本釣り漁が有名であるが、カツオ以外にもマグロその他の魚も一本釣り漁が行われている。漁師によるカツオの一本釣り漁の概要は次のとおりである。図１０に示すように、すべりを防ぐために把持部２に糸４を巻いた長さ２．５〜３．５ｍ程度の釣竿１を使用し、竿先３に釣竿１よりやや短くした道糸５を接続し、その先にカエシのない擬餌針６を接続した釣具を使用する。餌は全て活餌を使用し、主としてカタクチイワシ、マイワシが用いられる。魚群を発見すると先頭魚の前に出て投餌するとともに船から海面に向けて散水を開始する。餌に食いつくと船を旋回して群を横切るようにして停船し、釣獲舷の反対から風を受けるようにする。魚群が船側に近づくと多量の撒餌をし、漁師が釣竿を船外に倒して擬餌針を海中に投入して一斉に釣獲を始める。
【０００３】
漁師は海中に投入した擬餌針を左右にアヤシ、あたかもイワシが動き回っているように見せ掛け、魚を誘う動きを擬餌針に与え、魚が擬餌針に掛かるのを待つ。魚が擬餌針に掛かると釣竿を振り上げて魚を海面より力ずくで引き上げ、そのまま空中に放り上げ、漁師の後方の空中で魚が舞っている間に、道糸を緩め手反しを行い、魚のみを船上へ落下させ、そのまま釣竿を船外側へ倒し、擬餌針を船上へ落下させることなく、再び海中へ投げ出し、再びアヤシ動作を繰り返して次の魚が掛かるのを待つ。この漁師の巧みな竿さばきによる動作の繰り返しでカツオの一本釣りを行っている。この漁法は、無駄な動作は無く短時間に多くの魚を釣る方法であり、伝統ある土佐のカツオ一本釣り漁業は以前より現在に至るまでこの漁法で行われている。
【０００４】
擬餌針６は図９に示すように、基端部側に鉤元７が形成され、鉤元７には道糸５を結束するための環状部８が付設されている。９は軸部であり、鉤元７に連接された直線状の胴部９ａと、胴部９ａの先端部に連接して湾曲形成された湾曲部９ｂとから構成されており、湾曲部９ｂの先端には針先部１０が形成されている。この擬餌針６は全体として「し」字状に形成されるとともに、軸部９には適宜の擬餌（図示略）を装備している。この擬餌針６には、カエシが形成されておらず、擬餌針６に掛かった魚は、擬餌針６に接続している道糸５を緩めることにより、擬餌針６から外れやすい構造となっている。
【０００５】
また、近年は、漁師による釣竿の操作を機械化した自動釣機が実用化され、近海や遠洋のカツオ、マグロの一本釣り魚船に搭載されている。
【０００６】
擬餌針に関しては従来、擬餌針にノズルを装備し、該ノズルに外部からチューブを介して空気を供給して擬餌針の後方に噴射させて擬餌針を前方に推進させ、道糸を中心として旋回させることにより、海中で擬餌針に本物の餌のような動作を付与する自走式擬餌針が提供されている（特許文献１）。また、釣針に掛かった魚を確実に外す手段として、釣針に内蔵したシリンダーの先端に可動針を設け、シリンダー内のピストンの動きにより、可動針を先端側へ押して可動針の角度を強制的に変化させる手段が提供されている（特許文献２）。
【特許文献１】特開平７−３２２７９２号公報
【特許文献２】特開平８−３０８４３５号公報
【発明の開示】
【発明が解決しようとする課題】
【０００７】
近年、燃料価格の異常な高騰が継続しており、漁業経営に深刻な影響を与え、休業や廃業する船も出てきて、大きな社会問題となっている。また、漁業就労者の高齢化や減少、後継者不足等も深刻な問題となっている。このような状況に加え食糧自給率の低下は国家的問題であり、今後どのようにして一次産業を守り育てるかが課題となっており、伝統漁法を守りつつ、効率のよい漁業が益々求められている状況にある。
【０００８】
このような厳しい漁業環境の中で経営を継続するには、従来に比べより少ない人員で、かつ、経費（燃料費・餌代）を抑え、より多くの漁獲量を揚げる漁獲効率を高めた漁業が要求されている。特にカツオ一本釣漁等の各種一本釣り漁は、どこにいるか分からないナブラ（カツオ等の魚の群れ）を発見し、操業する漁業であり、ナブラを発見できるまで船を走らせなければならず、又鮮度が落ちやすい魚であり、鮮度による価格への影響が大きく、魚場と港を短期間で往復する漁であるため、多くの燃料を必要とし、燃料費の上昇は経営に大きな影響を与える。更に、カツオやマグロ等は群れが海面近くに浮上し餌を求める時間が短く、その時間は数分から数十分の場合が多く、一本釣りの場合、いくらよく釣ってもナブラの一割程度しか釣ることができないといわれている。
【０００９】
そのため、カツオやマグロの一本釣り漁は短時間でいかに効率よく多くの魚を釣り上げることができるかがポイントであり、そのためには、釣り上げた魚が空中で擬餌針から確実、かつ、速やかに外れ、次の釣獲動作に如何に迅速に進むことができるかが最も大切である。釣り上げた魚を擬餌針から確実、かつ、速やかに外すことは、魚群に遭遇している限られた時間内での釣獲となる一本釣りでは直接漁獲量に影響する。即ち、擬餌針が速やかに外れず魚とともに船上に落下したり、更には魚が外れないために手で外さなければならない場合、その間や処理のための時間を必要とするため、釣獲動作の回数が減少する。
【００１０】
図９，図１０に示す従来の擬餌針６はカエシがなく魚が外れやすい構造ではあるが、擬餌針６の掛かっている方向や、場所等掛かり具合によっては道糸を緩め手返しを行うだけでは外れにくい場合がしばしばあり、その際は前記したように処理のための時間ロスが漁獲量に直接影響する。
【００１１】
特許文献１にかかる自走式擬餌針は、空気等の流体をノズルから噴射する構成を有しているが、噴射した流体は擬餌針を前進させて道糸を中心として旋回させるに留まり、掛かった魚を外すための機能を有していない。特許文献２にかかる釣針はシリンダー機構を必要とし、釣針自体を変位させる必要があり、釣針としては構成が複雑となり、実用性に欠ける。また、釣針が魚に食い込んだ状態で操作するため、可動針が上手く可動しないケースも考えられる。更に、従来の自動釣機においては、釣り上げた魚を釣針から外す作業を完全に自動化する実用的な手段は提供されていない。
【００１２】
これらの事情に鑑み、流体による反力を利用して擬餌針に掛かった魚体を人手によることなく迅速、かつ、確実に取り外すことのできるカツオ、マグロ等の一本釣り漁法に使用する擬餌針及び擬餌針を使用した釣具並びに擬餌針からの魚体の取外し方法を提供することを目的とする。
【課題を解決するための手段】
【００１３】
本発明は上記目的を達成するために、基端部側に形成された鉤元と、鉤元に連接された胴部と、胴部に連接されてカエシを形成することなく湾曲形成された湾曲部と、湾曲部の先端に形成された針先部を有し、全体として「し」字状に形成されるとともに擬餌を装備した擬餌針において、胴部と湾曲部の連接部近傍に針先部側に向けて流体を噴射する噴射口を付設した擬餌針と、該擬餌針を道糸に結束するとともに、一端が所定の流体の供給源に接続されたチューブを噴射口と連通可能に擬餌針に接続してなる釣具を基本として提供する。
【００１４】
また、鉤元と胴部内に連通する中空部を形成するとともに、胴部と湾曲部の連接部近傍に前記中空部に連通し、針先部側に向けて流体を噴射する噴射口を付設した擬餌針と、該擬餌針を道糸に結束するとともに、一端が所定の流体の供給源に接続されたチューブを鉤元と胴部内に連通する中空部に接続してなる釣具を提供する。更に、鉤元を貫通する中空部を形成するとともに、先端部に噴射口が開口された筒状体を基端部が中空部から突出するように中空部に挿通し、噴射口から針先部側に向けて流体を噴射可能とした擬餌針、噴射口が胴部と湾曲部の連接部近傍に位置するようにした擬餌針、及び筒状体を胴部に沿って配置し、噴射口を胴部と湾曲部の連接部近傍に位置させた擬餌針と、これらの擬餌針を道糸に結束するとともに、一端が所定の流体の供給源に接続されたチューブを鉤元から突出した筒状体に接続してなる釣具を提供する。そして、針先部に魚体が掛かった場合に、噴射口から流体を針先部側に向けて噴射することにより、擬餌針に反力を作用させる。
【００１５】
また、前記した釣具を使用した魚釣りにおいて、擬餌針に掛かった魚を外す際に、擬餌針に接続している道糸及びチューブの張りを緩めるとともに噴射口から流体として海水，水又は空気を噴射することにより、擬餌針に反力を作用させて魚体を取り外す擬餌針からの魚体の取外し方法を提供する。
【発明の効果】
【００１６】
本発明によれば、擬餌針に掛かった魚体を取り外す際に、噴射口から海水，水，空気等の流体を噴射することにより、擬餌針に流体の噴射方向とは逆方向の反力を与えて、擬餌針の針先部を魚体から抜く方向に作用させることができるので、道糸を緩めて手返しを行うことでは外れ難い場所に掛かった場合や掛かり具合であっても、擬餌針から迅速、かつ、確実に魚体を取り外すことができる。
【００１７】
そのため、カツオやマグロの一本釣り漁において、釣り上げた魚を空中で擬餌針から確実、かつ、速やかに外して次の釣獲動作にスムーズに進んで、ナブラに遭遇している限られた時間内における釣獲動作の回数を増加させることができる。更に、流体の噴出口は擬餌針そのものに付加されているため、構成が簡単で、実施が容易である。また、本発明を応用し、自動釣機において採用することにより、釣り上げた魚を釣針から外す作業を完全に自動化する実用的な手段を提供することができる。
【発明を実施するための最良の形態】
【００１８】
以下図面に基づいて本発明にかかる擬餌針及び擬餌針を使用した釣具並びに擬餌針からの魚体の取外し方法の最良の実施形態を説明する。図１（Ａ）は本発明にかかる擬餌針の第１実施形態を示す側面図、図１（Ｂ）は同正面図、図１（Ｃ）は図１（Ａ）のａ−ａ断面図、図１（Ｄ）は図１（Ｂ）のｂ−ｂ断面図である。図において、６は擬餌針であり、全体として「し」字状に形成されており、基端部側に鉤元７が形成され、鉤元７には道糸を結束するための環状部８が付設されている。９は軸部であり、鉤元７に連接された直線状の胴部９ａと、胴部９ａの先端部に連接して湾曲形成された湾曲部９ｂとから構成されており、湾曲部９ｂの先端には針先部１０が形成されている。胴部９ａは図示例では直線状としたが、緩やかな湾曲形状その他の形状とすることもできる。
【００１９】
鉤元７と胴部９ａ部分には連通する中空部１１が穿設されており、該中空部１１は、鉤元７を貫通するとともに、胴部９ａの先端部に至っている。この中空部１１は図１（Ｄ）に示すように、鉤元７の内部から上面に開口する径大の中空部１１ａと、中空部１１ａに連通して胴部９ａの先端部に至る径小の中空部１１ｂより構成されている。そして、胴部９ａの先端部における中空部１１ｂの側面には噴射口１２が針先部１０側に向けて開口形成されている。中空部１１及び噴射口１２のサイズに特に限定はないが、カツオ漁の場合は、径大の中空部１１ａで内径１〜２ｍｍ程度、径小の中空部１１ｂ及び噴射口１２で内径０．５〜１ｍｍ程度が適当である。また、湾曲部９ｂには、カエシが形成されておらず、擬餌針６に掛かった魚は、擬餌針６に接続している道糸及びチューブを緩めることにより、擬餌針６から外れやすい構造となっている。
【００２０】
擬餌針６の軸部９には図２（Ａ）に示すように適宜の擬餌１３が脱着自在に装備されている。図２（Ａ）は第１実施形態にかかる擬餌針６に擬餌１３を装着した状態を示す側面図、図２（Ｂ）は同正面図、図２（Ｃ）は図２（Ａ）のｃ−ｃ断面図、図２（Ｄ）は図２（Ｂ）のｄ−ｄ断面図である。図示例では擬餌１３を魚の皮１３ａと、鳥の羽１３ｂで形成し、胴部９ａを被覆するように魚の皮１３ａを装着するとともに、鳥の羽１３ｂを胴部９ａから吊支するように装着した。よって、胴部９ａは擬餌１３によって包囲され外部から看取することができず、湾曲部９ｂのみが擬餌１３から外方に突出している。また、噴射口１２近傍の擬餌１３（魚の皮１３ａ）には切欠１３ｃが形成されており、噴射口１２からの流体の噴射を擬餌１３が阻害することがないようにしている。なお、擬餌１３の素材、形状や取付位置には特に限定はなく、擬餌として集魚効果があればどのようなものであってもよい。
【００２１】
そして、鉤元７の上面に開口した中空部１１ａには、中空部１１ｂと略同径の内径を有する中空の筒状体１４が液密状態に挿通固定されている。筒状体１４は図１（Ｄ）に示すように先端部が中空部１１ａの底面に支持され、基端部が所定長さだけ鉤元７の上面から突出している。よって、筒状体１４と中空部１１ｂは一体として略同径の中空部を形成する。鉤元７の上面から突出している筒状体１４の基端部は、可撓性を有するチューブ１５に液密状態に挿通固定されている。チューブ１５のサイズにも特に限定はないが１〜２ｍｍ程度の内径が適当である。
【００２２】
図３は擬餌針６を装備した釣具の一例を示す釣竿１の側面図であり、すべりを防ぐために把持部２に糸（図示略）を巻いた長さ２．５〜３．５ｍ程度の釣竿１を使用し、竿先３に釣竿１の長さよりやや短くした道糸５を接続し、道糸５の先端は図２に示すように擬餌針６の鉤元７に結束している。また、鉤元７の上面から突出している筒状体１４に竿先３から道糸５に沿って延長されたチューブ１５を接続している。また、チューブ１５は竿先３から釣竿１に支持されて竿元に至り、継手１６を介して海水，水或いは空気等の流体の供給源１８のホース１７に接続されている。流体の供給源１８は流体を貯留した所定のタンク状のものでもよく、或いは直接海中から海水を供給するようにしてもよい。
【００２３】
この流体の供給源１８にはポンプ１９とバルブ２２が装備され、流体を所定圧力でチューブ１５に圧送することができる。釣竿１の把持部２にはバルブ２２を開閉動作させるための操作スイッチ２０が装備されている。２１は操作スイッチの２０を作動させるための電気的配線であり、バルブ２２に接続されている。チューブ１５は釣竿１及び道糸５と部分的に結束しておく。また、釣竿１を中空に形成しておけば、該中空部にチューブ１５を挿通し、釣竿１とチューブ１５を一体に構成することも可能である。なお、釣竿１を使用することなく、道糸５とチューブ１５を他の自動釣り機に装備したり、手持ちする釣具に装備してもよい。
【００２４】
そして、釣獲時には、ポンプ１９を駆動させた状態で漁師が操作スイッチ２０を押してバルブ２２を開弁させている間のみ流体をチューブ１５に供給し、チューブ１５を介して道糸５の先端に結束した擬餌針６に供給し、噴射口１２から流体を噴射させることができる。一方、漁師が操作スイッチ２０から手を離すと、バルブ２２が閉弁して、噴射口１２からの流体の噴射は停止する。流体としては、海水，水，空気その他の流動性を有するものであれば、全て使用することが可能である。また、操作スイッチ２０は電気的な作動その他の作動原理に基づくものであってもよい。
【００２５】
次に上記した第１実施形態にかかる擬餌針６からの魚体の取外し方法についてカツオ漁を例として説明する。カツオ以外のマグロ等の他の魚であっても一本釣りを行う魚であれば、同様の操作となる。従前と同様に、魚群を発見すると先頭魚の前に出て、カタクチイワシ、マイワシ等の活餌を投餌するとともに船から海面に向けて散水を開始する。餌に食いつくと船を旋回して群を横切るようにして停船し、釣獲舷の反対から風を受けるようにする。魚群が船側に近づくと多量の撒餌をし、同時にポンプ１９を駆動させ、多数の漁師が釣竿１を船外に倒して擬餌針６を海中に投入して一斉に釣獲を始める。カツオが擬餌針６に掛かると釣竿１を振り上げてカツオを海面より力ずくで引き上げる。図４（Ａ）は擬餌針６に食いついたカツオＴを引き上げた状態であり、図４（Ｂ）から（Ｆ）はその部分拡大図である。
【００２６】
図４（Ｂ）に示すように空中でカツオＴが舞っている間に、図４（Ｃ）に示すように道糸５を緩め手反しを行い道糸５及びチューブ１５の張りを緩めて、カツオＴを擬餌針６から外すのであるが、このとき操作スイッチ２０を押すことにより、バルブ２２が開弁して、図４（Ｄ）の矢印に示すように、噴射口１２から海水，水，空気等の流体Ｒが針先部１０側に向かって噴射され、擬餌針６には流体の噴射方向とは逆方向に反力が与えられる。
なお、湾曲部９ｂの湾曲形状に沿うように針先部１０側に向けて噴射してもよい。すると、図４（Ｅ）に示すように、擬餌針６の針先部１０はカツオＴの掛かり部（図示例ではカツオＴの口元）から離反する方向に流体Ｒの反力が作用し、図４（Ｆ）に示すように、カツオＴは擬餌針６から外れて、そのまま落下する。そして、カツオＴが外れると操作スイッチ２０から手を離し、バルブ２２を閉じて流体Ｒの噴射を停止させ、その後擬餌針６を再び船外の海中へ投入する。よって、従来の道糸５を緩めて手返しを行うことによるカツオＴの取り外しを補助するとともに、手返しだけでは外れない場所や掛かり具合であっても、擬餌針６から迅速、かつ、確実にカツオＴを取り外すことができる。更に、取り外しが困難な場合は、操作スイッチ２０を操作して、流体を間欠的に、又は連続して噴射することもできる。
【００２７】
噴射口１２からの流体の圧力は使用に応じて適宜設定すればよいが、水を使用した場合の擬餌針６に作用する反力の概算値は次式で算出できる。
Ｆ＝０．７３×Ｑ×√Ｐ
Ｆ：反力（Ｎ）
Ｑ：噴射量（リットル／ｍｉｎ）
Ｐ：噴射圧力（ＭＰａ）
【００２８】
よって、例えば２．８号針を使用するとすれば、その重量は約１１．５ｇであり、１分間に０．３４リットルの水を０．３ＭＰａの噴射圧力で噴射するとした場合、次式により反力は１３．６ｇとなり、擬餌針の針先部を魚体から抜く力としては十分の反力が得られる。また、使用する擬餌針のサイズによっては任意に噴射量及び／又は噴射圧力を増減させることにより、反力を調節することができる。
Ｑ：０．３４リットル／ｍｉｎ
Ｐ：０．３ＭＰａ
Ｆ＝０．７３×０．３４×√０．３＝０．１３６Ｎ＝１３．６ｇ
【００２９】
次に本発明にかかる擬餌針の第２実施形態を説明する。前記第１実施形態と同一構成については、同一の符号を付して説明を省略する。図５（Ａ）は本発明にかかる擬餌針の第２実施形態を示す側面図、図５（Ｂ）は同正面図、図５（Ｃ）は図５（Ａ）のｅ−ｅ断面図、図５（Ｄ）は図５（Ｂ）のｆ−ｆ断面図である。この第２実施形態においては、中空の筒状体２５が鉤元７を貫通して、胴部９ａに近接した位置で胴部９ａの内側（湾曲部９ｂ側）に沿って延伸し、先端部が胴部９ａの先端部近傍に至っている。そして、胴部９ａの先端部近傍側における筒状体２５の側面には噴射口２６が針先部１０側に向けて開口形成されている。筒状体２５及び噴射口２６のサイズに特に限定はないが、カツオ漁の場合は、内径０．５〜１ｍｍ程度が適当である。また、筒状体２５の基端部は鉤元７の上面から突出し、チューブ１５に液密状態に挿入固定されている。なお、図において擬餌の図示は省略したが、図２に示す擬餌１３と同様の擬餌が装着されている。この第２実施形態の特徴は、流体を供給・噴射する筒状体２５及び噴射口２６が軸部９と別体に構成されている点にある。流体の供給手段及び流体を噴射しての魚体の取り外し方法は前記第１実施形態と同様である。
【００３０】
次に本発明にかかる擬餌針の第３実施形態を説明する。前記第１実施形態と同一構成については、同一の符号を付して説明を省略する。図６（Ａ）は本発明にかかる擬餌針の第３実施形態を示す側面図、図６（Ｂ）は同正面図、図６（Ｃ）は図６（Ｂ）のｇ−ｇ断面図である。この第３実施形態においては、中空の筒状体２７が鉤元７を貫通して、胴部９ａに近接した位置で胴部９ａの外側（湾曲部９ｂと反対側）に沿って延伸し、先端部が胴部９ａより超えて延長されている。そして、筒状体２７の先端部の側面には噴射口２８が針先部１０側に向けて開口形成されている。筒状体２７及び噴射口２８のサイズに特に限定はないが、カツオ漁の場合は、内径０．５〜１ｍｍ程度が適当である。また、筒状体２７の基端部は鉤元７の上面から突出し、チューブ１５に液密状態に挿入固定されている。なお、図において擬餌の図示は省略したが、図２に示す擬餌１３と同様の擬餌が装着されている。
【００３１】
この第３実施形態の特徴は、流体を供給・噴射する筒状体２７及び噴射口２８が軸部９と別体に構成されるとともに、胴部９ａを超えて延長され、魚体に対する流体の噴射が湾曲部９ｂの下方から針先部１０側に向けて行われる点にある。流体の供給手段及び流体を噴射しての魚体の取り外し方法は前記第１実施形態と同様である。
【００３２】
次に本発明にかかる擬餌針の第４実施形態を説明する。前記第１実施形態と同一構成については、同一の符号を付して説明を省略する。図７（Ａ）は本発明にかかる擬餌針の第４実施形態を示す側面図、図７（Ｂ）は同正面図、図７（Ｃ）は図７（Ｂ）のｈ−ｈ断面図である。この第４実施形態においては、中空の筒状体２９が鉤元７を貫通して、胴部９ａに近接した位置で胴部９ａの外側（湾曲部９ｂと反対側）に沿って延伸し、胴部９ａより超えて延長されている。そして、筒状体２９の先端部２９ａは針先部１０側の方向に向かって曲成されて湾曲されるとともに、先端には噴射口３０が開口形成されている。筒状体２９及び噴射口３０のサイズに特に限定はないが、カツオ漁の場合は、内径０．５〜１ｍｍ程度が適当である。また、筒状体２９の基端部は鉤元７の上面から突出し、チューブ１５に液密状態に挿入固定されている。なお、図において擬餌の図示は省略したが、図２に示す擬餌１３と同様の擬餌が装着されている。
【００３３】
この第４実施形態の特徴は、流体を供給・噴射する筒状体２９及び噴射口３０が軸部９と別体に構成されるとともに、胴部９ａを超えて延長されるとともに先端部２９ａが針先部１０側に向けて湾曲形成されており、魚体に対する流体の噴射が湾曲部９ｂの下方から針先部１０側に向けて行われる点にある。流体の供給手段及び流体を噴射しての魚体の取り外し方法は前記第１実施形態と同様である。
【００３４】
次に本発明にかかる擬餌針の第５実施形態を説明する。前記第１実施形態と同一構成については、同一の符号を付して説明を省略する。図８（Ａ）は本発明にかかる擬餌針の第５実施形態を示す側面図、図８（Ｂ）は同正面図、図８（Ｃ）は図８（Ｂ）のｉ−ｉ断面図である。この第５実施形態においては、軸部３１は、鉤元７に連接された直線状の胴部３１ａと、胴部３１ａの先端部手前に連接して湾曲形成された湾曲部３１ｂとから構成されており、胴部３１ａの先端部３１ｃは湾曲部３１ｂとの連接部から先に延長されて突出している。また、湾曲部３１ｂの先端には針先部１０が形成されている。
【００３５】
鉤元７と胴部３１ａ部分には連通する中空部３３が穿設されており、該中空部３３は、鉤元７を貫通するとともに、胴部３１ａの先端部に至っている。この中空部３３は図８（Ｃ）に示すように、鉤元７の内部から上面に開口する径大の中空部３３ａと、中空部３３ａに連通して胴部３１ａの先端部に至る径小の中空部３３ｂより構成されている。そして、胴部３１ａの先端部３１ｃにおける中空部３３ｂの側面には噴射口３４が針先部１０側に向けて開口形成されている。中空部３３及び噴射口３４のサイズに特に限定はないが、カツオ漁の場合は、径大の中空部３３ａで内径１〜２ｍｍ程度、径小の中空部３３ｂ及び噴射口３４で内径０．５〜１ｍｍ程度が適当である。
【００３６】
そして、鉤元７の上面に開口した中空部３３ａには、中空部３３ｂと略同径の内径を有する中空の筒状体３２が液密状態に挿通固定されている。筒状体３２は図８（Ｃ）に示すように先端部が中空部３３ａの底面に支持され、基端部が所定長さだけ鉤元７の上面から突出している。よって、筒状体３２と中空部３３ｂは一体として略同径の中空部を形成する。鉤元７の上面から突出している筒状体３２の基端部は、中空で可撓性を有するチューブ１５に液密状態に挿通固定されている。なお、図において擬餌の図示は省略したが、図２に示す擬餌１３と同様の擬餌が装着されている。
【００３７】
この第５実施形態の特徴は、流体を供給・噴射する中空部３３及び噴射口３４が軸部３１と一体に構成されるとともに、胴部３１ａを超えて延長され、魚体に対する流体の噴射が湾曲部３１ｂの下方から針先部１０側に向けて行われる点にある。流体の供給手段及び流体を噴射しての魚体の取り外し方法は前記第１実施形態と同様である。
【産業上の利用可能性】
【００３８】
本発明によれば、基端部側に形成された鉤元と、鉤元に連接された胴部と、胴部に連接されてカエシを形成することなく湾曲形成された湾曲部と、湾曲部の先端に形成された針先部を有し、全体として「し」字状に形成されるとともに擬餌を装備した擬餌針において、胴部と湾曲部の連接部近傍に針先部側に向けて流体を噴射する噴射口を付設した擬餌針と、該擬餌針を道糸に装着するとともに、一端が所定の流体の供給源に接続されたチューブを噴射口に接続してなる釣具を基本とするため、擬餌針に掛かった魚体を取り外す際に、噴射口から海水，水，空気等の流体を噴射することにより、擬餌針に反力を与えて、該反力で擬餌針を魚体から離反する方向に作用させることができるので、道糸を緩めて魚体を空中で取り外す手返し作業による魚体の取り外しが確実、かつ、容易となる。また、従来の道糸を緩めて手返しを行うことでは外れにくい場所に掛かった場合や掛かり具合であっても、擬餌針から迅速、かつ、確実に魚体を取り外すことができる。
【００３９】
そのため、カツオやマグロの一本釣り漁において、釣り上げた魚を空中で擬餌針から速やかに外して次の釣獲動作にスムーズに進んで、ナブラに遭遇している限られた時間内における釣獲動作の回数を増加させる。更に、流体の噴出口は擬餌針そのものに付加されているため、構成が簡単で、実施が容易である。
【図面の簡単な説明】
【００４０】
【図１】（Ａ）は本発明にかかる擬餌針の第１実施形態を示す側面図、（Ｂ）は同正面図、（Ｃ）は（Ａ）のａ−ａ断面図、（Ｄ）は（Ｂ）のｂ−ｂ断面図。
【図２】（Ａ）は第１実施形態にかかる擬餌針に擬餌を装着した状態を示す側面図、（Ｂ）は同正面図、（Ｃ）は（Ａ）のｃ−ｃ断面図、（Ｄ）は（Ｂ）のｄ−ｄ断面図。
【図３】擬餌針を装備した釣竿の側面図。
【図４】（Ａ）（Ｂ）（Ｃ）（Ｄ）（Ｅ）（Ｆ）は本発明にかかる擬餌針の取外し方法の説明図。
【図５】（Ａ）は本発明にかかる擬餌針の第２実施形態を示す側面図、（Ｂ）は同正面図、（Ｃ）は（Ａ）のｅ−ｅ断面図、（Ｄ）は（Ｂ）のｆ−ｆ断面図。
【図６】（Ａ）は本発明にかかる擬餌針の第３実施形態を示す側面図、（Ｂ）は同正面図、（Ｃ）は（Ｂ）のｇ−ｇ断面図。
【図７】（Ａ）は本発明にかかる擬餌針の第４実施形態を示す側面図、（Ｂ）は同正面図、（Ｃ）は（Ｂ）のｈ−ｈ断面図。
【図８】（Ａ）は本発明にかかる擬餌針の第５実施形態を示す側面図、（Ｂ）は同正面図、（Ｃ）は（Ｂ）のｉ−ｉ断面図。
【図９】従来の擬餌針の構造を示す側面図。
【図１０】従来の擬餌針を装備した釣竿の側面図。
【符号の説明】
【００４１】
１…釣竿
２…把持部
３…竿先
４…糸
５…道糸
６…擬餌針
７…鉤元
８…環状部
９，３１…軸部
９ａ，３１ａ…胴部
９ｂ，３１ｂ…湾曲部
１０…針先部
１１，３３…中空部
１１ａ，３３ａ…径大の中空部
１１ｂ，３３ｂ…径小の中空部
１２，２６，２８，３０，３４…噴射口
１３…擬餌
１４，２５，２７，２９，３２…筒状体
１５…チューブ
１６…継手
１７…ホース
１８…流体の供給源
１９…ポンプ
２０…操作スイッチ
２１…電気的配線
２２…バルブ
【図１】
2010035421.tif 000003
【図２】
2010035421.tif 000004
【図３】
2010035421.tif 000005
【図４】
2010035421.tif 000006
【図５】
2010035421.tif 000007
【図６】
2010035421.tif 000008
【図７】
2010035421.tif 000009
【図８】
2010035421.tif 000010
【図９】
2010035421.tif 000011
【図１０】
2010035421.tif 000012